(57)【要約】【課題】薪ストーブの煙突から排出される臭いを低減させることが可能な薪ストーブ用消臭装置を提供する。【解決手段】薪ストーブ用消臭装置１０に、燃焼室内で薪を燃焼させることによって加熱される天板部を備えているストーブ本体と、ストーブ本体から延びる煙突とを備えた薪ストーブの天板部に載置される下壁部１１ａ、下壁部１１ａの外周から上方へ延出している周壁部１１ｂ、及び周壁部１１ｂの上端の開口を閉鎖している上壁部１１ｃを有しており内部に水Ｗを収容可能な密閉容器状の本体１１と、上壁部１１ｃを貫通しており本体１１内に水を供給するための給水口１２と、給水口１２を開閉可能に閉鎖している給水蓋１３と、上壁部１１ｃを貫通している貫通口１４と、貫通口１４と薪ストーブの煙突とを接続し本体１１内で発生した水蒸気を煙突内へ誘導する誘導筒１５と、を具備させる。【選択図】図２
2015007492.tif 000002
【特許請求の範囲】
【請求項１】
薪を燃焼させる燃焼室、及び燃焼室内で薪を燃焼させることによって加熱される天板部を備えているストーブ本体と、ストーブ本体から延びており燃焼室と連通している煙突とを備えた薪ストーブの天板部に載置される平板状の下壁部、該下壁部の外周から上方へ延出している平板状の周壁部、及び該周壁部の上端の開口を閉鎖している平板状の上壁部を有しており、内部に水を収容可能な密閉容器状の本体と、
該本体の前記上壁部を貫通しており、前記本体内に水を供給するための給水口と、
該給水口を開閉可能に閉鎖している給水蓋と、
前記上壁部を前記給水口とは異なる位置で貫通している貫通口と、
該貫通口と薪ストーブの煙突とを接続し、前記本体内で発生した水蒸気を煙突内へ誘導する筒状の誘導筒と
を具備していることを特徴とする薪ストーブ用消臭装置。
【請求項２】
前記誘導筒は、
前記本体よりも上側で、上方へ向って傾斜して煙突に接続していることを特徴とする請求項１に記載の薪ストーブ用消臭装置。
【請求項３】
前記上壁部において前記給水口と前記貫通口との間から前記下壁部に向って途中まで延出している平板状の仕切板を更に具備していることを特徴とする請求項１又は請求項２に記載の薪ストーブ用消臭装置。
【発明の詳細な説明】
【技術分野】
【０００１】
本発明は、薪ストーブの煙突から排出される排気の臭いを低減させるための薪ストーブ用消臭装置に関する。
【背景技術】
【０００２】
燃料としての薪を燃焼させる燃焼室、及び燃焼室内で薪を燃焼することによって加熱される天板部を備えているストーブ本体と、ストーブ本体から延びており燃焼室と連通している煙突とを備えた薪ストーブが周知である。薪ストーブは、ストーブ本体の燃焼室内で薪を燃焼させることによって建物内を暖房することができると共に、加熱された天板部に薬缶、鍋、或いはフライパン、等を載置することによってお湯を沸かしたり調理したりすることができる。薪の燃焼によって発生した煙やガス等は、煙突によって建物外へ排気している。
【０００３】
この薪ストーブとして、ストーブ本体における燃焼室と煙突との間に、酸化触媒を配置した第二燃焼室（キャタリティックコンバスター）を備えた薪ストーブが提案されている（特許文献１）。特許文献１の技術によると、燃焼室内で薪を燃焼させた時に発生した煙やガス等に含まれる未燃焼ガスを、第二燃焼室内の酸化触媒を通すことによって燃焼（二次燃焼）させることができ、薪の熱効率を高めることができると共に、煙突から一酸化炭素や黒煙等を排出され難くい薪ストーブとすることができる。
【０００４】
しかしながら、特許文献１の技術では、煙突から排出される煙を少なくすることができるものの、薪の燃焼によって発生する煙やガス等に含まれている臭を低減させることができなかった。従って、住宅地等の建物に薪ストーブを設置した場合、薪ストーブの煙突から排出された臭いによって、風下側の住宅に迷惑をかけてしまう虞があった。そのため、住宅地等では薪ストーブを設置したくても、臭いの問題のために設置を諦めてしまうことがあった。
【発明の概要】
【発明が解決しようとする課題】
【０００５】
そこで、本発明は上記の実情に鑑み、薪ストーブの煙突から排出される臭いを低減させることが可能な薪ストーブ用消臭装置の提供を課題とする。
【課題を解決するための手段】
【０００６】
上記の課題を解決するために、本発明に係る薪ストーブ用消臭装置は、「薪を燃焼させる燃焼室、及び燃焼室内で薪を燃焼させることによって加熱される天板部を備えているストーブ本体と、ストーブ本体から延びており燃焼室と連通している煙突とを備えた薪ストーブの天板部に載置される平板状の下壁部、該下壁部の外周から上方へ延出している平板状の周壁部、及び該周壁部の上端の開口を閉鎖している平板状の上壁部を有しており、内部に水を収容可能な密閉容器状の本体と、該本体の前記上壁部を貫通しており、前記本体内に水を供給するための給水口と、該給水口を開閉可能に閉鎖している給水蓋と、前記上壁部を前記給水口とは異なる位置で貫通している貫通口と、該貫通口と薪ストーブの煙突とを接続し、前記本体内で発生した水蒸気を煙突内へ誘導する筒状の誘導筒とを具備している」ことを特徴とする。
【０００７】
ここで、「本体」の外形形状としては、「直方体形状」、「円柱形状」、「不定形形状」、等を例示することができる。
【０００８】
また、「給水蓋」としては、「本体に対して蝶番を用いて取付けられている蓋」、「本体に対してスライド可能に取付けられている蓋」、「本体に対して着脱可能とされている蓋」、等を例示することができる。給水蓋を閉めた時に本体の上壁部と給水蓋に密閉性を高めるためのパッキングを備えることが望ましく、上壁部と給水蓋との間から本体内に外気が流入するのを低減させることができる。
【０００９】
本体内に収容（供給）される「水」としては、「水道水」、「芳香剤やアロマ油等を含んだ水」、「煙やガス等に含まれる臭いの成分と化学反応して消臭させる消臭剤を含んだ水」、等を例示することができる。
【００１０】
本発明の薪ストーブ用消臭装置は、本体を、ストーブ本体の天板部に載置すると共に、本体から延びている誘導筒を煙突に接続することで、薪ストーブに取付ける。続いて、給水蓋を開けて給水口から本体内へ水を供給した後に、給水口を給水蓋で閉鎖する。この状態で、ストーブ本体の燃焼室内に薪を投入して燃焼させると、薪の燃焼によってストーブ本体の天板部が加熱されると共に、天板部に載置された本体も加熱され、本体内に収容された水が加熱されて沸騰することとなる。そして、本体内の水が沸騰することによって発生した水蒸気が、誘導筒を介して煙突内へ誘導されて煙突内の臭いの成分を含んだ煙やガス等に接触すると、煙やガス等を吸着し、煙やガス等を吸着させた状態で煙突から建物外へ排出される。
【００１１】
これにより、臭いの成分を含んだ煙やガス等が水蒸気に吸着された状態で煙突から排出されるため、臭いの成分等が水蒸気内に取込まれており、臭いを感じさせ難くすることができ、煙突から排出される臭いを低減させることができる。従って、煙突から排出される臭いの問題によって設置を諦めていた住宅地等でも、他の住宅に迷惑をかけることなく薪ストーブを設置することができる。
【００１２】
ところで、薪の燃焼によって発生した煙やガス等が、煙突内を通ることにより、煙突内に負圧が発生する。この煙突内の負圧は、煙突に接続された誘導筒を介して本体内にも作用し、本体内において水面よりも上側が負圧となる。この状態で、仮に、本体の密閉状態が低いと、煙突内の負圧によって、本体から誘導筒を介して煙突内に外気が流入することとなる。そして、本体内で発生する水蒸気よりも多くの外気を煙突内に吸込んでしまうと、煙突内での水蒸気の量が相対的に少なくなるため、臭いの成分等を充分に吸着することが困難となり、煙突から排出される臭いを低減させられなくなる虞がある。また、煙突内に外気が流入することにより、煙突を介したストーブ本体からの排気が弱くなって薪を完全に燃焼させることが困難となったり、煙突内が外気で冷却されることによって煙突内で結露して煙突内に煤等の汚れが付着し易くなる虞がある。
【００１３】
これに対して、本発明では、本体を、密閉容器状に形成しているため、誘導筒を介して薪ストーブの煙突内の負圧が作用しても、本体から外気が誘導筒を介して煙突内に流入することがなく、上述したように、本体内で発生した水蒸気によって確実に煙突から排出される臭いを低減させることができる。また、外気が本体から誘導筒を介して煙突内に流入しないため、ストーブ本体からの煙やガス等を煙突によって確実に排出することができ、薪を完全燃焼させ易くすることができる。また、煙突内で煙やガス等が外気によって冷却されて結露してしまうのを抑制することができ、結露によって煙突内に煤等の汚れが付着し易くなるのを低減させることができる。
【００１４】
本発明に係る薪ストーブ用消臭装置は、上記の構成に加えて、「前記誘導筒は、前記本体よりも上側で、上方へ向って傾斜して煙突に接続している」ことを特徴としても良い。
【００１５】
これにより、薪ストーブの煙突に対して誘導筒が上方へ向って斜めに接続しているため、本体内で発生して上昇しようとする水蒸気を、煙突内へスムーズに誘導させて誘導筒内で滞留し難くすることができる。従って、水蒸気が誘導筒内で滞留することにより結露が発生して煙やガス等を吸着させる水蒸気の量が相対的に少なくなってしまうのを低減させることができる。従って、本体内で発生した水蒸気を、確実に煙突内へ誘導させて煙やガス等を吸着させることができ、煙突から排出される臭いを低減させることができる。
【００１６】
本発明に係る薪ストーブ用消臭装置は、上記の構成に加えて、「前記上壁部において前記給水口と前記貫通口との間から前記下壁部に向って途中まで延出している平板状の仕切板を更に具備している」ことを特徴としても良い。
【００１７】
ところで、本薪ストーブ用消臭装置を使用している時には、上述したように、煙突内で発生した負圧が、本体内において水面より上側にも作用しているため、この状態で給水口を閉鎖している給水蓋を開くと、外気が給水口から本体内へ吸込まれて煙突内へ流入することとなり、上述したような問題が発生する。
【００１８】
これに対して、本発明では、仕切板によって本体内を給水口側と貫通口側とに仕切っているため、本体内に、水面が仕切板の下端よりも上側となる量の水が収容されていれば、給水口を閉鎖している給水蓋を開いても、煙突からの負圧が給水口側に作用することはなく、外気が給水口から本体内に吸込まれて煙突内に流入することはない。従って、本発明の薪ストーブ用消臭装置を使用中において、本体内に水を補給するために給水蓋を開いても、給水口から外気が煙突内へ流入しないため、煙突内への外気の流入によって水蒸気による消臭効果を低下させることなく本体内へ水を補給することができる。
【００１９】
また、本体の下壁部付近では給水口側と貫通口側が連通しているため、給水口から本体内へ水を供給すれば、仕切板の下側を通して貫通口側へも水を収容させることができる。
【００２０】
更に、本発明の薪ストーブ用消臭装置の使用中に、問題なく給水蓋を開けることができるため、給水蓋（給水口）を開けたままの状態とすることによって、本体内で発生した水蒸気を給水口から放出させることができる。従って、薪ストーブを設置している室内の湿度を高めたい時には、給水蓋を開いて給水口を開けることで、給水口から水蒸気を室内へ放出させることができ、室内の湿度を高める（調整する）ことができる。
【発明の効果】
【００２１】
このように、本発明によれば、薪ストーブの煙突から排出される臭いを低減させることが可能な薪ストーブ用消臭装置を提供できる。
【図面の簡単な説明】
【００２２】
【図１】本発明の一実施形態である薪ストーブ用消臭装置を薪ストーブに取付けた状態を示す側面図である。
【図２】（ａ）は図１の薪ストーブ用消臭装置において誘導筒を除いた平面図であり、（ｂ）は（ａ）におけるＢ−Ｂ断面図である。
【発明を実施するための形態】
【００２３】
本発明の一実施形態である薪ストーブ用消臭装置１０について、図１及び図２を参照して詳細に説明する。本実施形態の薪ストーブ用消臭装置１０は、図１に示すように、燃料としての薪（図示は省略）を燃焼させる燃焼室２ａ、及び燃焼室２ａ内で薪を燃焼させることによって加熱される天板部２ｂを備えているストーブ本体２と、ストーブ本体２から延びており燃焼室２ａと連通している煙突３と、を備えている薪ストーブ１に取付けて用いられるものである。
【００２４】
本実施形態の薪ストーブ用消臭装置１０は、図１及び図２に示すように、薪ストーブ１のストーブ本体２の天板部２ｂに載置される平板状の下壁部１１ａ、下壁部１１ａの外周から上方へ延出している平板状の周壁部１１ｂ、及び周壁部１１ｂの上端の開口を閉鎖している平板状の上壁部１１ｃを有しており、内部に水Ｗを収容可能な密閉容器状の本体１１と、本体１１の上壁部１１ｃを貫通しており、本体１１内に水Ｗを供給するための給水口１２と、給水口１２を開閉可能に閉鎖している給水蓋１３と、上壁部１１ｃを給水口１２とは異なる位置で貫通している円形の貫通口１４と、貫通口１４と薪ストーブ１の煙突３とを接続し本体１１内で発生した水蒸気を煙突３内へ誘導する筒状の誘導筒１５と、上壁部１１ｃにおいて給水口１２と貫通口１４との間から下壁部１１ａに向って途中まで延出している平板状の仕切板１６、を備えている。
【００２５】
本体１１は、周壁部１１ｂに沿って上壁部１１ｃよりも上方へ延出している堰部１１ｄと、上壁部１１ｃにおいて貫通口１４の周縁側から堰部１１ｄよりも上側まで上方へ円筒状に延出しており誘導筒１５の下端側が挿入される誘導筒取付部１１ｅと、貫通口１４の周縁から貫通口１３内に上壁部１１ｃに沿って突出しており誘導筒１５の下端と当接する複数の突出部１１ｆと、を更に備えている。
【００２６】
給水口１２は、図２（ａ）に示すように、長方形の上壁部１１ｃにおいて、長辺の中央よりも一方側（図中、左側）で、上壁部１１ｃの短辺に沿った方向に延びた長方形に開口している。給水蓋１３は、平面視において給水口１２よりも大きい平板状に形成されており、取っ手１７が取付けられていると共に、一対の蝶番１８によって本体１１の上壁部１１ｃの上面に取付けられている。この給水蓋１３は、取っ手１７を持って一対の蝶番１８をヒンジ回転させることにより、給水口１２を開閉させることができる。貫通口１４は、図２（ａ）に示すように、上壁部１１ｃにおいて、長辺の中央よりも、給水口１２が開口している一方側とは反対側（図中、右側）で、円形に開口している。
【００２７】
誘導筒１５は、図１に示すように、本体１１の誘導筒取付部１１ｅに下端側が挿入される筒状の第一誘導部１５ａと、第一誘導部１５ａの上端に上下にスライド可能に接続されている筒状の第二誘導部１５ｂと、第二誘導部１５ｂの上端から煙突３に向って斜め上方へ延びている筒状の第三誘導部１５ｃと、第三誘導部１５ｃの上端が接続されていると共に煙突３の一部を形成する筒状の煙突接続部１５ｄと、を備えている。第三誘導部１５ｃは、煙突接続部１５ｄ（煙突３）の中心軸に対して４５度の角度で煙突接続部１５ｄに接続されている。第三誘導部１５ｃと煙突接続部１５ｄは、予め溶接等によって一体的に接続されている。
【００２８】
次に、本実施形態の薪ストーブ用消臭装置１０の使用方法について説明する。建物内に設置したストーブ本体２の天板部２ｂに、本体１１を載置すると共に、本体１１の誘導筒取付部１１ｅに誘導筒１５の第一誘導部１５ａを挿入する。また、ストーブ本体２から延びている煙突３において本体１１よりも上側に、誘導筒１５の煙突接続部１５ｄを第三誘導部１５ｃが斜め下方へ延びるように取付けた後に、本体１１に取付けられた第一誘導部１１ａの上端と第三誘導部１５ｃの下端とを第二誘導部１５ｂで接続するように取付ける。これにより、薪ストーブ１への薪ストーブ用消臭装置１０の取付けが完了する。
【００２９】
続いて、薪ストーブ用消臭装置１０の給水蓋１３を開けて、給水口１２から水Ｗを本体１１内へ、その水面ＷＬが仕切板１６の下端よりも充分に上側となるまで供給する（図２（ｂ）を参照）。本体１１内に水Ｗを収容させたら、給水口１２を給水蓋１３によって閉じる。これにより、薪ストーブ用消臭装置１０の準備が完了する。
【００３０】
その後、薪ストーブ１の燃焼室２ａ内に図示しない薪を投入して、薪を燃焼させる。燃焼室２ａ内で薪が燃焼されることにより、建物内（室内）が暖められると同時に、天板部２ｂが加熱される。この天板部２ｂが加熱されることにより、天板部２ｂの熱が本体１１の下壁部１１ａを介して本体１１内の水Ｗに伝達され、本体１１内に収容された水Ｗが加熱されて沸騰することとなる。
【００３１】
そして、本体１１内の水Ｗが沸騰することによって発生した水蒸気が、貫通口１４から誘導筒１５を介して煙突３内へ誘導され、煙突３内の臭いの成分を含んだ煙やガス等に接触すると、煙やガス等を吸着し、煙やガス等を吸着させた状態で煙突３から建物外へ排出されることとなる。従って、臭いの成分を含んだ煙やガス等が水蒸気に吸着された状態で煙突３から建物外へ排出されるため、臭いの成分等が水蒸気内に取込まれており、臭いを感じさせ難くすることができ、煙突から排出される臭いを低減させることができる。
【００３２】
ところで、薪ストーブ１を使用中に、室内の湿度を高めたい時には、給水蓋１３を開いて給水口１２を開けることで、給水口１２から本体１１内の水蒸気を室内へ放出させることができ、室内の湿度を高める（調整する）ことができる。
【００３３】
また、本体１１内に収容される水Ｗに、煙やガス等に含まれる臭いの成分と化学反応して消臭させる消臭剤を添加しても良く、消臭剤によって、煙突３から排出される臭いを更に低減させることができる。また、本体１１内に収容される水Ｗに、芳香剤やアロマ油等を添加しても良く、芳香剤等によって煙突３から排出される臭いを和らげたり、給水口１２から室内へ放出させることによって室内に香りを漂わせたりできる。
【００３４】
このように、本実施形態の薪ストーブ用消臭装置１０によれば、薪ストーブ１の煙突３から排出される臭いを低減させることができる。従って、煙突３から排出される臭いの問題によって設置を諦めていた住宅地等でも、他の住宅に迷惑をかけることなく薪ストーブ１を設置することができる。
【００３５】
また、本体１１を、密閉容器状に形成しているため、誘導筒１５を介して薪ストーブ１の煙突３内の負圧が作用しても、本体１１から外気が誘導筒１５を介して煙突３内に流入することがない。従って、本体１１から誘導筒１５を介して煙突３内に外気が流入することにより、煙突３内での水蒸気の量が相対的に少なくなって、臭いの成分等を充分に吸着することが困難となるのを抑制することができ、本体１１内で発生した水蒸気によって確実に煙突３から排出される臭いを低減させることができる。
【００３６】
また、本体１１から外気が誘導筒１５を介して煙突３内に流入しないため、ストーブ本体２からの煙やガス等を煙突３によって確実に排出することができ、薪を完全燃焼させ易くすることができると共に、煙突３内で煙やガス等が外気によって冷却されて結露してしまうのを抑制することができ、結露によって煙突３内に煤等の汚れが付着し易くなるのを低減させることができる。
【００３７】
更に、誘導筒１５において、薪ストーブ１の煙突３に取付けられる煙突接続部１５ｄに対して第三誘導部１５ｃを斜め上方に向けて接続しているため、本体１１内で発生して上昇しようとする水蒸気を、煙突３内へスムーズに誘導させて誘導筒１５内で滞留し難くすることができる。従って、水蒸気が誘導筒１５内で滞留することにより結露が発生して煙やガス等を吸着させる水蒸気の量が相対的に少なくなってしまうのを低減させることができるため、本体１１内で発生した水蒸気を、確実に煙突３内へ誘導させて煙やガス等を吸着させることができ、煙突３から排出される臭いを低減させることができる。
【００３８】
また、仕切板１６によって本体１１内を給水口１２側と貫通口１４側とに仕切っているため、本体１１内に、水面ＷＬが仕切板１６の下端よりも上側となる量の水Ｗが収容されていれば、給水口１２を閉鎖している給水蓋１３を開いても、煙突３からの負圧が給水口１２側に作用することはなく、外気が給水口１２から本体１１内に吸込まれて煙突３内に流入することはない。従って、薪ストーブ用消臭装置１０を使用中において、本体１１内の水Ｗを補給するために給水蓋１３を開いても、給水口１２から外気が煙突３内へ流入しないため、煙突３内への外気の流入によって水蒸気による消臭効果を低下させることなく給水口１２から本体１１内へ水Ｗを補給することができる。
【００３９】
更に、仕切板１６を備えているため、貫通口１４側から給水口１２側に負圧が作用することがなく、給水蓋１３を閉めた状態でも、上壁部１１ｃと給水蓋１３との間から本体１１内に外気が流入することはなく、上壁部１１ｃと給水蓋１３との間に密閉性を高めるためのパッキングを備えなくても良い。
【００４０】
また、本体１１に、上壁部１１ｃよりも上方へ延出している堰部１１ｄを備えているため、本体１１内に水Ｗを供給する際に、給水口１２から水Ｗが溢れても、堰部１１ｄによって本体１１外へ溢れるのを防止することができる。
【００４１】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４２】
例えば、上記の実施形態では、本体１１内に仕切板１６を備えた薪ストーブ用消臭装置１０を示したが、これに限定するものではなく、仕切板１６を備えていない薪ストーブ用消臭装置１０としても良い。この場合、煙突３内からの負圧が給水口１２側にも作用するため、上壁部１１ｃと給水蓋１３との間に密閉性を高めるためのパッキングを備えて、上壁部１１ｃと給水蓋１３との間から本体１１内へ外気が流入するのを防ぐようにする。
【００４３】
また、上記の実施形態では、給水蓋１３を開閉することによって、給水口１２から室内側へ水蒸気を放出させる薪ストーブ用消臭装置１０を示したが、これに限定するものではなく、図２（ａ）において一点鎖線で示すように、給水蓋１３に、回転させることによって開口面積が変化する通気ダンパ２０を備えるようにしても良い。これにより、通気ダンパ２０を回転させることで、室内側に放出される水蒸気の量を調整することができる。
【符号の説明】
【００４４】
１  薪ストーブ
２  ストーブ本体
２ａ  燃焼室
２ｂ  天板部
３  煙突
１０  薪ストーブ用消臭装置
１１  本体
１１ａ  下壁部
１１ｂ  周壁部
１１ｃ  上壁部
１２  給水口
１３  給水蓋
１４  貫通口
１５  誘導筒
１５ａ  第一誘導部
１５ｂ  第二誘導部
１５ｃ  第三誘導部
１５ｄ  煙突接続部
１６  仕切板
Ｗ  水
ＷＬ  水面
【先行技術文献】
【特許文献】
【００４５】
【特許文献１】特開２０００−４６３３４号公報
【図１】
2015007492.tif 000003
【図２】
2015007492.tif 000004